(57)【特許請求の範囲】
【請求項１】
容器の口部に着脱自在に嵌合保持されるベースキャップと、このベースキャップに一体的に設けられ、容器内の内容物を注出する注出筒とを備えた容器の中栓であって、
前記ベースキャップと注出筒の境界に、該ベースキャップと注出筒とを一部分を残して切り離し可能につなげる破断予定線を設け、
前記注出筒に、前記破断予定線の中央相当域に位置し、かつ水平姿勢でもって該注出筒の外周壁に一体連結する摘み片を設け、
該摘み片の先端部の下面に突起を設けたことを特徴とする容器の中栓。
【請求項２】
前記破断予定線が、壁部の肉厚を薄くしてその部位を弱化部とする細溝からなる、請求項１記載の容器の中栓。
【請求項３】
前記注出筒は、前記摘み片の両側端にそれぞれ弱化部を介して引きちぎり可能につながり、該摘み片を含めて前記ベースキャップの径を超えない範囲でもって該注出筒の周りに内容物の受け部を形成するフランジを有する、請求項１又は２記載の容器の中栓。
【請求項４】
前記注出筒は、前記摘み片を除いた注出筒突端部の周りにおいて起立するとともに該注出筒を通して注出された内容物を誘導する注出リップを有する、請求項１又２記載の容器の中栓。
【発明の詳細な説明】
【技術分野】
【０００１】
本発明は、容器を傾動させて内容物を注出するのに使われる容器の中栓に関するものであり、使用済み容器の廃棄に際して該中栓を容器の口部から簡単に取り外して材料毎に分別廃棄しようとするものである。
【背景技術】
【０００２】
シャンプーやリンス、整髪剤、化粧料、調味料等を入れるハンディタイプの容器には、内容物の適量取り出しを可能とする観点から容器の口部には、容器の内部につながり内容物の注出経路を形成する開孔をもった中栓が装着されている。
【０００３】
かかる中栓は、ベース部に設けられた周壁とこの周壁の内側に位置する内筒との間で下向きに開放された環状溝部を形成して該環状溝部を容器の口部の先端部に嵌合させることによって固定保持するのが普通であるところ、使用済み容器の廃棄に際して該中栓を容器の口部から取り外して分別廃棄しようとしても簡単に取り外すことができないものであった。
【０００４】
この点に関する先行技術としては、中栓の周壁部の外側面に、押し上げ力を付加する棚部を形成するとともに、該棚部の形成位置に対応する部分に設けられた突起を切除するようにした構造の中栓が知られている（例えば、特許文献１参照）ものの、この中栓においても基本的には、内側壁と周壁部とによって容器の口部を挟持しているため、中栓の取り外しに際しては依然として大きな力が必要であって、簡便に取り外しができるとはいい難く未だ改善の余地が残されていた。
【先行技術文献】
【特許文献】
【０００５】
【特許文献１】特開２００１−９７４２５号公報
【発明の概要】
【発明が解決しようとする課題】
【０００６】
本発明の課題は、容器の口部との嵌合が可能であるが、容器の廃棄に際しては簡便な操作のもとで容易に取り外すことができる中栓を提案するところにある。
【課題を解決するための手段】
【０００７】
本発明は、容器の口部に着脱自在に嵌合保持されるベースキャップと、このベースキャップに一体的に設けられ、容器内の内容物を注出する注出筒とを備えた容器の中栓であって、
前記ベースキャップと注出筒の境界に、該ベースキャップと注出筒とを一部分を残して切り離し可能につなげる破断予定線を設け、
前記注出筒に、前記破断予定線の中央相当域に位置し、かつ水平姿勢でもって該注出筒の外周壁に一体連結する摘み片を設け、
該摘み片の先端部の下面に突起を設けたことを特徴とする容器の中栓である。
【０００８】
上記の構成になる中栓において破断予定線は、壁部の肉厚を薄くしてその部位を弱化部とする細溝にて構成することができる。
【０００９】
また、注出筒としては、前記摘み片の両側端にそれぞれ弱化部を介して引きちぎり可能につながり、該摘み片を含めて前記ベースキャップの径を超えない範囲でもって該注出筒の周りに内容物の受け部を形成するフランジを設けるか、あるいは、摘み片を除いた出筒突端部の周りにおいて起立するとともに該注出筒を通して注出された内容物を誘導する注出リップを設けたものがとくに有利に適合する。
【発明の効果】
【００１０】
摘み片を引き起こしてそれを引張るとベースキャップと注出筒とは、破断予定線に沿って部分的に切り離されることとなり、この状態ではベースキャップを構成する周壁の変形が容易になるとともに注出筒そのものを摘むことが可能で、該注出筒を摘んでさらに引張ることによりベースキャップを容器の口部から簡単に外すことができる。
【００１１】
内容物を使い切った容器を詰め替え容器として再利用する場合、中栓を簡単に取り外すことができるので、内容物の詰替えを行いやすい。
【図面の簡単な説明】
【００１２】
【図１】本発明にしたがう中栓の実施の形態を断面で示した図である
【図２】図１に示した中栓の平面を示した図である。
【図３】図１、２に示した中栓の外観斜視図である。
【図４】図１〜３に示した中栓の取り外し状況を示した図である。
【図５】本発明にしたがう中栓の他の実施の形態を断面で示した図である。
【図６】図５に示した中栓の平面を示した図である。
【図７】図５、図６に示した中栓の外観斜視図である。
【図８】本発明にしたがう中栓のさらに他の実施の形態を示した図である。
【図９】図８に示した中栓の平面を示した図である。
【図１０】図８、図９に示した中栓の外観斜視図である。
【発明を実施するための形態】
【００１３】
以下、図面を参照して本発明をより具体的に説明する。
図１は、本発明にしたがう中栓の実施の形態を容器の口部に取り付けた状態で示した断面図であり、図２は、図１に示した中栓の平面図、図３は、図１、２に示した中栓の外観斜視図である。
【００１４】
図における符号１は、内容物を充填した容器、２は容器１の頂部に設けられた口部、３は、容器１の口部２にねじあるいはアンダーカットによって着脱自在に装着されるオーバーキャップである。オーバーキャップ３は、口部２の上部に位置する天板３ａと、この天板３ａの外縁部において垂下され容器１の口部２を取り囲んでその内側に口部２の収納空間を形成する周壁３bと、この周壁３bの内側で天板３ａから垂下され口部２の外側で該口部２とねじあるいはアンダーカットによって係合する内筒３ｃから構成されている。
【００１５】
また、４は、オーバーキャップ３の内筒３ｃの内側天井部に配置されたパッキンである。オーバーキャップ３を装着した状態ではパッキン４が中栓の天面壁に当接して注出開孔を密封する。５は、容器１の口部２に着脱自在に装着された中栓である。中栓５は、ベースキャップ５ａと、注出筒５ｂからなる。
【００１６】
中栓５のベースキャップ５ａは、口部２の周りを取り囲むとともに該口部２にアンダーカットにより係合する外周壁５ａ１と、この外周壁５ａ１の内側に位置し口部２の内周壁面に挿入されて嵌合する内周壁５ａ２と、口部２の上面に位置して外周壁５ａ１と内周壁５ａ２をとそれぞれ垂下支持する天面壁５ａ３から形成されており、外周壁５ａ１と内周壁５ａ２との相互間で形成された下向き開放型の環状溝ｍに容器１の口部２がアンダーカット嵌合して中栓５を口部２に保持している。
【００１７】
また、注出筒５ｂは、ベースキャップ５ａの天面壁５ａ３の中央部において立ち上がり、内側に内容物の注出経路を形成する短尺の筒体５ｂ１と、この筒体５ｂ１の上端で内容物の注出孔ｈを形成する天井壁５ｂ２から形成されている。
【００１８】
６は、ベースキャップ５ａと注出筒５ｂとの境界に設けられた破断予定線である。この破断予定線６は、天面壁５ａ３の肉厚を薄くしてその部位を弱化部とする細溝から構成され、注出筒５ｂの周りの略３／４の領域を取り囲む長さＬを有するものを例として示してある。
【００１９】
さらに、７は、破断予定線６の長さＬの中央相当域（１／３の領域、図２参照）に位置するところで注出筒５ｂの上端部外周壁に一体連結した舌片状の摘み片である。この摘み片７は、ベースキャップ５ａの天面壁５ａ３の外縁にほぼ等しい長さＬ１をもっており、水平姿勢を保つように配置されている。摘み片７とベースキャップ５ａの天面壁５ａ３との間には、若干の隙間が形成されているとともに、該摘み片７の先端部の下面には、指を引っ掛けるための突起７ａが設けられている。
【００２０】
上記の構成になる中栓５は、容器１の口部２に装着された状態では確実に嵌合保持されており、所期しない力が付加されたとしても簡単に脱落することはない。
【００２１】
容器１内の内容物を使いきったのちにおいて該容器１を廃棄すべく、中栓５を取り外すには、まず、摘み片７の先端部の下面に設けた突起７ａに指を引っ掛けて該摘み片７を引き起こすとともに該摘み片７を把持して注出筒５ｂを上方へ向けて引張る。そうすると、ベースキャップ５ａと注出筒５ｂは破断予定線６に沿って切り離され、該注出筒５ｂは図４に示すような状態となり、切り残された一部分はヒンジ部ｅとして機能することになる（図２参照）。
【００２２】
該注出筒５ｂが図４に示すような状態になると、注出筒５ｂの裏側にも指を当てることができ摘む部分が多くなることによって取り外しやすくなり、注出筒５ｂに摘み替えてさらに引き上げることによりベースキャップ５ａが容器１の口部２から簡単に離脱する。
【００２３】
上記の如く、本発明にしたがう中栓は、摘み片７の引き起こしと、該摘み片７の引張りによるベースキャップ５ａと注出筒５ｂとの切り離しと、注出筒５ｂへの摘み替えによる引張りによって中栓５を容器１の口部２から簡単に取り外すことができるものであって、容器の使用後における分別廃棄を確実に行い得る。
【００２４】
図５〜７は、本発明にしたがう中栓の他の実施の形態を示した図である。図における符号８は、注出筒５bの上端部外周壁に一体連結した水平配置になるフランジである。このフランジ８は、摘み片７の両側端にそれぞれ薄肉化することによって形成された弱化部８ａを介して該摘み片7と引きちぎり可能につながっており、ベースキャップ５ａの外縁部を越えない範囲でもって注出筒５bの周りを取り囲んでいる。フランジ８は、内容物を注出する際の受け部として機能するものであって、このフランジ８を設けることで内容物の垂れ（液垂れ）を防止する。
【００２５】
かかる構成の中栓５も、摘み片７の引き起こしと、該摘み片７の引張りによるベースキャップ５ａと注出筒５ｂとの切り離しと、フランジ８を含めた注出筒５ｂへの摘み替えによる引張りによって中栓５を容器１の口部２から簡単に取り外すことが可能であり、容器の使用後における分別廃棄を確実に行い得る。摘み片７の引き起こしを容易にするため、該摘み片７の直下に位置する周壁５の外周壁５ａ１には、凹部ｔを設けてもよい（図７参照）。
【００２６】
図８〜１０は、本発明にしたがう中栓のさらに他の実施の形態を示した図である。この例は、摘み片７を除いた注出筒５b突端部の周りにおいて起立するとともに該注出筒５bを通して注出にかかる内容物を誘導する注出リップ９を設けたものである。
【００２７】
注出リップ９は、樋形状をなすものであって、内容物の注出を終えたのちにおいて該注出リップ９の表面に内容物が残っていても残存した内容物はその表面を伝わり注出開孔ｈに向けて流れてゆき、容器１の内部へと回収されることになる。
【００２８】
かかる構成の中栓５も、基本的には、摘み片７の引き起こしと、該摘み片７の引張りによるベースキャップ５ａと注出筒５ｂとの切り離しと、注出リップ９を含めた注出筒５ｂへの摘み替えによる引張りによって中栓５を容器１の口部２から簡単に取り外すことができるものであり、容器の使用後における分別廃棄を確実に行い得る。
【００２９】
注出リップ９を設けた上掲図８〜１０に示した中栓５については、オーバーキャップ３を装着した状態で注出開孔ｈを確実に密封するため、該オーバーキャップ３の天板３ａの下面には該注出開孔ｈに嵌合する密封筒体３ｄを設ける。
【００３０】
破断予定線６は、何れの中栓５についても注出筒５ｂの周りの略３／４（角度にして２７０°）の領域を取り囲む長さとして示したが、該破断予定線６の長さＬは中栓５のサイズやベースキャップ５ａあるいは注出筒５ｂの肉厚等に応じて適宜変更できるものであって、図示のものには限定されない。
【００３１】
また、破断予定線６は、ベースキャップ５ａの内周壁５ａ２の内側直近において天面壁５ａ３に設けることでベースキャップ５ａと注出筒５ｂを切り離したときに内周壁５ａ２を変形させやすくなり中栓５の取り外しが容易となる。
【００３２】
破断予定線６の形成位置は、天面壁５ｂ３の裏面であってもよいし表面であってもよく、この点については限定されない。ヒンジ部ｅは、破断予定線６の端部を相互につなぐ領域において形成されるものであり、かかる領域は予め薄肉にしておくのがよく、これによりベースキャップ５ａと注出筒５ｂとの相互間での揺動が容易となり切り離し作業を簡単に行い得る。
【００３３】
摘み片７を引き起こし易くするため、図５〜７に示した中栓５については、周壁５ｂ１の外表面に凹部ｔを設けた場合について示したが、この凹部ｔは、図１〜４の実施の形態で示した中栓５にも設けることができるのはいうまでもない。
【００３４】
また、上掲図１〜１０に示した中栓５は、ベースキャップ５ａを構成する外周壁５ａ１の内周下端に環状のアンダーカットを設けて容器１の口部２に嵌合させるものを例として示したが、該アンダーカットに間隔をおいて複数の切欠あるいは切り溝を設け断続的に分断しておくことにより分別廃棄に際して該中栓５をさらに取り外しやすくすることができる。とくに摘み片７が位置する直下に切欠あるいは切り溝を設けておけば中栓５の取り外しやすさがより一層顕著となる。
【００３５】
本発明にしたがう中栓５を備えた容器を、詰替え容器として再利用する場合においては、中栓５の簡単な取り外しにより容器１の口部２を露出することができるため、内容物の詰替えを行いやすい利点がある。
【産業上の利用可能性】
【００３６】
容器の口部との強固な係合が可能であり、かつ、容器の廃棄に際して簡便な操作のもとで容易に取り外すことができる中栓を提供し得る。
【符号の説明】
【００３７】
１      容器
２      口部
３      オーバーキャップ
３ａ    天板
３ｂ    周壁
３ｃ    内筒
４      パッキン
５      中栓
５ａ    ベースキャップ
５ｂ    注出筒
６      破断予定線
７      摘み片
７ａ    突起
８      フランジ
８ａ    弱化部
９      注出リップ
ｍ      溝
ｈ      注出開孔
ｅ      ヒンジ部
【図１】
0005628533.tif 000002
【図２】
0005628533.tif 000003
【図３】
0005628533.tif 000004
【図４】
0005628533.tif 000005
【図５】
0005628533.tif 000006
【図６】
0005628533.tif 000007
【図７】
0005628533.tif 000008
【図８】
0005628533.tif 000009
【図９】
0005628533.tif 000010
【図１０】
0005628533.tif 000011